(57)【要約】【課題】特定光のケラレを防止し且つ被検眼の良好な観察を行うことができる細隙灯顕微鏡を提供する。【解決手段】スリット光を被検眼に照射する照明系と、被検眼を観察するための観察系であって、対物レンズと、接眼レンズと、対物レンズ及び接眼レンズの間に設けられたリレー光学系と、を備える観察系と、リレー光学系に設けられ、スリット光とは異なる特定光を被検眼に向けて照射する特定光照射系と、を備える。【選択図】図４
2020141999.tif 000002
【特許請求の範囲】
【請求項１】
スリット光を被検眼に照射する照明系と、
前記被検眼を観察するための観察系であって、対物レンズと、接眼レンズと、前記対物レンズ及び前記接眼レンズの間に設けられたリレー光学系と、を備える観察系と、
前記リレー光学系に設けられ、前記スリット光とは異なる特定光を前記被検眼に向けて照射する特定光照射系と、
を備える細隙灯顕微鏡。
【請求項２】
前記特定光照射系が、
前記リレー光学系に設けられた第１偏向光学素子と、
前記リレー光学系の光路外に設けられ、前記特定光を第１偏向光学素子に向けて出射する光源と、
を備え、
前記第１偏向光学素子が、前記光源から出射された前記特定光を、前記リレー光学系及び前記対物レンズを通して前記被検眼に向けて偏向する請求項１に記載の細隙灯顕微鏡。
【請求項３】
前記光源が、互いに異なる複数種類の前記特定光を選択的に出射する請求項２に記載の細隙灯顕微鏡。
【請求項４】
前記光源が、複数種類の前記特定光として、前記被検眼に照射されている前記スリット光の背景を照明するバックグラウンド光と、赤外光と、前記被検眼に投与された蛍光剤を励起発光させる励起光と、を選択的に出射する請求項３に記載の細隙灯顕微鏡。
【請求項５】
前記観察系が、前記対物レンズと、双眼の前記接眼レンズと、前記接眼レンズごとに前記対物レンズ及び前記接眼レンズの間に設けられた一対の前記リレー光学系と、を備え、
前記第１偏向光学素子が、一対の前記リレー光学系の一方である第１リレー光学系に設けられており、
一対の前記リレー光学系の他方である第２リレー光学系に設けられ、前記対物レンズを通過した前記被検眼の観察光の一部を、前記第２リレー光学系の光路外に偏向する第２偏向光学素子と、
前記第２リレー光学系の光路外に設けられ、前記第２偏向光学素子で偏向された前記観察光を撮像する撮像系と、
を備える請求項２から４のいずれか１項に記載の細隙灯顕微鏡。
【請求項６】
前記光源、前記第１偏向光学素子、前記第２偏向光学素子、及び前記撮像系が一体化されている請求項５に記載の細隙灯顕微鏡。
【請求項７】
前記撮像系による前記観察光の撮像中に前記光源を点灯させ、且つ観察系による前記被検眼の観察中には前記光源を消灯させる光源制御部を備える請求項５又は６に記載の細隙灯顕微鏡。
【請求項８】
前記光源又は前記第１偏向光学素子を、前記第１偏向光学素子により前記特定光が前記被検眼に向けて偏向される偏向位置と、前記第１偏向光学素子により前記特定光が前記被検眼に向けて偏向されない退避位置と、の間で移動自在に支持する移動機構と、
前記移動機構を駆動して、前記光源又は前記第１偏向光学素子を、前記撮像系による前記観察光の撮像中には前記偏向位置に移動させ、且つ前記観察系による前記被検眼の観察中には前記退避位置に移動させる移動制御部と、
を備える請求項５又は６に記載の細隙灯顕微鏡。
【請求項９】
前記対物レンズから前記光源までの光路長が、前記対物レンズの焦点距離よりも短い請求項２から８のいずれか１項に記載の細隙灯顕微鏡。
【請求項１０】
前記光源から出射された前記特定光を、前記光源と前記対物レンズとの間で一旦結像させる結像レンズを備え、
前記対物レンズから前記結像レンズによる前記特定光の結像位置までの光路長が、前記対物レンズの焦点距離よりも短い請求項２から８のいずれか１項に記載の細隙灯顕微鏡。
【請求項１１】
前記結像レンズが、前記第１偏向光学素子と前記光源との間に設けられており且つ前記特定光を前記第１偏向光学素子に結像させる請求項１０に記載の細隙灯顕微鏡。
【発明の詳細な説明】
【技術分野】
【０００１】
本発明は、照明系及び観察系を備える細隙灯顕微鏡に関する。
【背景技術】
【０００２】
細隙灯顕微鏡（スリットランプ又はスリットランプマイクロスコープともいう）は、眼科において被検眼の観察に用いられる。この細隙灯顕微鏡は、スリット光（細隙光ともいう）を用いて被検眼の注目部位の光切片を切り取ることによって注目部位の断面を観察したり、この断面の画像を取得したりする。
【０００３】
細隙灯顕微鏡は、照明系及び観察系を備える（特許文献１参照）。照明系は、スリット幅が調整されたスリット光を被検眼に照射する。観察系は、被検眼に照射されたスリット光の戻り光を、対物レンズを通して接眼部の接眼レンズまで導く。検者は、観察系を通して被検眼の観察像を観察する。
【０００４】
ところで、スリット光だけを被検眼に照射すると、例えばインフォームドコンセント時において顕微鏡で撮影した撮影画像を被検者に提示した場合に、被検者が被検眼のいずれの箇所にスリット光が照射されているのかが判り難いという問題がある。このため、細隙灯顕微鏡にはバックグラウンド光源（バックライト光源ともいう）が設けられている（特許文献２及び３参照）。このバックグラウンド光源から被検眼に向けて出射されるバックグラウンド光（バックライト光ともいう、特定光）によって、被検眼に照射されているスリット光の背景が照明される。
【０００５】
特許文献２に記載の細隙灯顕微鏡では、顕微鏡の被検眼に対向する側の前面に複数のバックグラウンド光源を設けている。また、特許文献３に記載の細隙灯顕微鏡では、被検眼に対して斜め方向からバックグラウンド光を照射するバックグラウンド光源を偏向光学系に設けている。
【先行技術文献】
【特許文献】
【０００６】
【特許文献１】特開２０１１−１７７２７３号公報
【特許文献２】特開２００２−１０２１７３号公報
【特許文献３】特許第５７４７９２４号公報
【発明の概要】
【発明が解決しようとする課題】
【０００７】
ところで、特許文献２に記載の細隙灯顕微鏡では、顕微鏡の前面の全領域に複数のバックグラウンド光源が設けられているので、顕微鏡と偏向光学系の偏向光学素子との位置関係によっては、１又は複数のバックグラウンド光源から出射されたバックグラウンド光が偏向光学素子等によりケラレるおそれがある。
【０００８】
また、特許文献３に記載の細隙灯顕微鏡では、バックグラウンド光源により、被検眼に対して斜め方向からバックグラウンド光を照射するので、被検眼の観察面に照度斑が生じるおそれがある。
【０００９】
本発明はこのような事情に鑑みてなされたものであり、特定光のケラレを防止し且つ被検眼の良好な観察を行うことができる細隙灯顕微鏡を提供することを目的とする。
【課題を解決するための手段】
【００１０】
本発明の目的を達成するための細隙灯顕微鏡は、スリット光を被検眼に照射する照明系と、被検眼を観察するための観察系であって、対物レンズと、接眼レンズと、対物レンズ及び接眼レンズの間に設けられたリレー光学系と、を備える観察系と、リレー光学系に設けられ、スリット光とは異なる特定光を被検眼に向けて照射する特定光照射系と、を備える。
【００１１】
この細隙灯顕微鏡によれば、観察系から被検眼に向けて対物レンズと同軸に特定光を照射することができ、且つ検者は観察系を通して特定光が照明系によりケラレるか否かを確認することができるので、検者の意図に反して特定光がケラレることが防止される。
【００１２】
本発明の他の態様に係る細隙灯顕微鏡において、特定光照射系が、リレー光学系に設けられた第１偏向光学素子と、リレー光学系の光路外に設けられ、特定光を第１偏向光学素子に向けて出射する光源と、を備え、第１偏向光学素子が、光源から出射された特定光を、リレー光学系及び対物レンズを通して被検眼に向けて偏向する。これにより、観察系から被検眼に向けて対物レンズと同軸に特定光を照射することができ、且つ検者の意図に反して特定光がケラレることが防止される。
【００１３】
本発明の他の態様に係る細隙灯顕微鏡において、光源が、互いに異なる複数種類の特定光を選択的に出射する。これにより、複数種類の観察を実行することができる。
【００１４】
本発明の他の態様に係る細隙灯顕微鏡において、光源が、複数種類の特定光として、被検眼に照射されているスリット光の背景を照明するバックグラウンド光と、赤外光と、被検眼に投与された蛍光剤を励起発光させる励起光と、を選択的に出射する。可視光源からバックグラウンド光を出射することでスリット光の背景が照明され、赤外光源から赤外光を出射することで被検眼のマイボーム腺を鮮明に観察することができ、さらに励起光源から励起光を出射することで被検眼の蛍光観察が可能となる。
【００１５】
本発明の他の態様に係る細隙灯顕微鏡において、観察系が、対物レンズと、双眼の接眼レンズと、接眼レンズごとに対物レンズ及び接眼レンズの間に設けられた一対のリレー光学系と、を備え、第１偏向光学素子が、一対のリレー光学系の一方である第１リレー光学系に設けられており、一対のリレー光学系の他方である第２リレー光学系に設けられ、対物レンズを通過した被検眼の観察光の一部を、第２リレー光学系の光路外に偏向する第２偏向光学素子と、第２リレー光学系の光路外に設けられ、第２偏向光学素子で偏向された観察光を撮像する撮像系と、を備える。これにより、被検眼に対する特定光の照射と、被検眼の観察光の撮像と、を同時に実行することができる。また、第２偏向光学素子及び撮像系の側方に空きスペースに、第１偏向光学素子及び光源を配置することができる。その結果、観察系のリーチングディスタンスを長くすることなく、第１偏向光学素子及び光源を配置することができる。
【００１６】
本発明の他の態様に係る細隙灯顕微鏡において、光源、第１偏向光学素子、第２偏向光学素子、及び撮像系が一体化されている。これにより、観察系のリーチングディスタンスを長くすることなく、第１偏向光学素子及び光源を配置することができる。
【００１７】
本発明の他の態様に係る細隙灯顕微鏡において、撮像系による観察光の撮像中に光源を点灯させ、且つ観察系による被検眼の観察中には光源を消灯させる光源制御部を備える。これにより、観察系による被検眼の観察中において、検者が特定光を眩しく感じることが防止される。
【００１８】
本発明の他の態様に係る細隙灯顕微鏡において、光源又は第１偏向光学素子を、第１偏向光学素子により特定光が被検眼に向けて偏向される偏向位置と、第１偏向光学素子により特定光が被検眼に向けて偏向されない退避位置と、の間で移動自在に支持する移動機構と、移動機構を駆動して、光源又は第１偏向光学素子を、撮像系による観察光の撮像中には偏向位置に移動させ、且つ観察系による被検眼の観察中には退避位置に移動させる移動制御部と、を備える。これにより、観察系による被検眼の観察中において、検者が特定光を眩しく感じることが防止される。
【００１９】
本発明の他の態様に係る細隙灯顕微鏡において、対物レンズから光源までの光路長が、対物レンズの焦点距離よりも短い。これにより、被検眼に照射される特定光を拡散照明にすることができる。
【００２０】
本発明の他の態様に係る細隙灯顕微鏡において、光源から出射された特定光を、光源と対物レンズとの間で一旦結像させる結像レンズを備え、対物レンズから結像レンズによる特定光の結像位置までの光路長が、対物レンズの焦点距離よりも短い。これにより、被検眼に照射される特定光を拡散照明にすることができ、且つ観察系における光源の配置の自由度を増やすことができる。
【００２１】
本発明の他の態様に係る細隙灯顕微鏡において、結像レンズが、第１偏向光学素子と光源との間に設けられており且つ特定光を第１偏向光学素子に結像させる。これにより、被検眼に照射される特定光を拡散照明にすることができ、且つ観察系における光源の配置の自由度を増やすことができる。
【発明の効果】
【００２２】
本発明は、特定光のケラレを防止し且つ被検眼の良好な観察を行うことができる。
【図面の簡単な説明】
【００２３】
【図１】第１実施形態の細隙灯顕微鏡の側面図である。
【図２】上方側から見た顕微鏡の光学系の配置を示す光学配置図である。
【図３】図２中の第２リレー光学系の第２ビームスプリッタをその側方側から見た側面図である。
【図４】図２中の第１リレー光学系の第１ビームスプリッタをその側方側から見た側面図である。
【図５】細隙灯顕微鏡の制御装置の機能ブロック図である。
【図６】第２実施形態の細隙灯顕微鏡における顕微鏡の第１リレー光学系、光源、及び集光レンズの側面図である。
【図７】第３実施形態の光源制御部による光源のオンオフ制御の流れを示すフローチャートである。
【図８】第４実施形態の細隙灯顕微鏡における顕微鏡の第１リレー光学系、光源、及び集光レンズの側面図である。
【図９】第５実施形態の細隙灯顕微鏡における顕微鏡の第１リレー光学系、光源、及び結像レンズの側面図である。
【発明を実施するための形態】
【００２４】
［第１実施形態の細隙灯顕微鏡］
図１は、第１実施形態の細隙灯顕微鏡１０の側面図である。図１に示すように、細隙灯顕微鏡１０は、所謂Ｚｅｉｓｓ式（Ｌｉｔｔｍａｎ式）であり、ベース１２と、顔支持部材１４と、電動駆動部１６と、可動テーブル１８と、操作レバー２０と、第１の支持部材２２と、顕微鏡支持アーム２４と、回動軸２６と、第２の支持部材２８と、回動軸３０と、照明系３２と、顕微鏡３４と、手元操作部３８と、を備える。
【００２５】
ベース１２は、不図示の検眼テーブル上に載置されている。このベース１２の上面で且つ被検者（被検眼Ｅ側）の前端部には顔支持部材１４が設けられている。また、ベース１２の上面には、電動駆動部１６及び手元操作部３８が設けられていると共に、可動テーブル１８が水平方向（前後方向及び左右方向）に移動自在に保持されている。なお、前後方向は被検者に近づく前方向と被検者から遠ざかる後方向であり、左右方向は被検者の眼幅方向である。
【００２６】
顔支持部材１４は、ベース１２に固定され且つ上下方向に延びた一対の支柱１４ａと、一対の支柱１４ａの上下方向の中間部に設けられた顎受１４ｂと、一対の支柱１４ａの上下方向の上端部に設けられた額当１４ｃと、を有する。被検者が顎受１４ｂに顎を載せると共に額当１４ｃに額を当てることで、被検者の顔が顔支持部材１４により支持される。これにより、被検眼Ｅの位置が固定される。
【００２７】
電動駆動部１６は、ベース１２上で可動テーブル１８を水平方向（前後方向及び左右方向）に移動させる移動機構である。また、可動テーブル１８の上面で且つ後方向側（検者側）の後端部には操作レバー２０が設けられている。さらに、可動テーブル１８の上面には、第１の支持部材２２が上下方向に移動可能（昇降可能）に設けられている。
【００２８】
電動駆動部１６は、不図示の複数のモータと、各モータの回転をそれぞれ水平方向及び上下方向の駆動力に変換する不図示の駆動伝達機構と、を備えている。この電動駆動部１６は、操作レバー２０の操作に応じて可動テーブル１８を水平方向に移動させると共に、第１の支持部材２２を上下方向に移動させる。これにより、被検眼Ｅに対する第１の支持部材２２（照明系３２及び顕微鏡３４）の位置調整が可能となる。
【００２９】
操作レバー２０は、第１の支持部材２２（照明系３２及び顕微鏡３４）を水平方向と上下方向とにそれぞれ手動で移動操作するための操作部材である。例えば、操作レバー２０を前後方向又は左右方向に傾倒操作することで、電動駆動部１６が可動テーブル１８を前後方向又は左右方向に移動させる。また、操作レバー２０の軸線周りの回動操作により、電動駆動部１６が第１の支持部材２２を上下方向に移動させる。なお、操作レバー２０の頂部には、撮影等に用いるスイッチ２０ａが設けられている。
【００３０】
第１の支持部材２２には顕微鏡支持アーム２４が配設されている。この顕微鏡支持アーム２４は、水平アーム部２４ａと鉛直アーム部２４ｂとを有しており、略Ｌ字状に形成されている。
【００３１】
水平アーム部２４ａの前方向側の端部は、上下方向に延びた回動軸２６を介して、第１の支持部材２２上に水平回動可能に取り付けられている。また、この水平アーム部２４ａ上には、回動軸２６の延長線上に位置する回動軸３０を介して、第２の支持部材２８が水平回動可能に取り付けられている。
【００３２】
なお、回動軸２６を中心とした顕微鏡支持アーム２４の水平回動、及び回動軸３０を中心とした第２の支持部材２８の水平回動は、検者の手動操作で行ったり或いは不図示の電動回動機構を用いて電動で行ったりしてもよい。
【００３３】
鉛直アーム部２４ｂの上端部には顕微鏡３４が取り付けられている。また、第２の支持部材２８には照明系３２が設けられている。
【００３４】
照明系３２は、細隙灯４４及び偏向光学系４６を備える。細隙灯４４は、偏向光学系４６に向けてスリット光を出射する。偏向光学系４６は、細隙灯４４の上方位置に設けられており、且つ細隙灯４４よりも上方位置に設けられた偏向光学素子４８を有する。偏向光学素子４８は、例えばミラー（反射鏡）又はプリズム等であり、細隙灯４４から出射されたスリット光を被検眼Ｅに向けて偏向（反射を含む）する。なお、本実施形態では、偏向光学素子３８としてプリズムを用いる。これにより、被検眼Ｅに対してスリット光が照射される。なお、細隙灯４４及び偏向光学系４６は図１に示したものに限定されるものでなく、Ｚｅｉｓｓ式の細隙灯顕微鏡１０で用いられるものであれば、その形状、構造、及び配置は特に限定されない。
【００３５】
照明系３２は、回動軸３０を中心として第２の支持部材２８と一体に水平回動される。これにより、被検眼Ｅに対するスリット光の照射方向を調整することができる。
【００３６】
顕微鏡３４は、本発明の観察系に相当するものであり、照明系３２からのスリット光が照射されている被検眼Ｅの観察、或いは後述の光源８０（図４参照）からのバックグラウンド光が照射されている被検眼Ｅの観察に用いられる。この顕微鏡３４の前方向側（被検眼Ｅ側）の前端部には対物レンズ５０が設けられ、且つ後方向側（検者側）の後端部には接眼レンズ５２が設けられている。図１中の符号ＬＡは、顕微鏡３４の対物レンズ５０の光軸（観察軸）である。
【００３７】
顕微鏡３４は、回動軸２６を中心として顕微鏡支持アーム２４と一体に水平回動される。これにより、顕微鏡３４による被検眼Ｅの観察方向を調整することができる。また、顕微鏡３４には、顕微鏡３４の光学系を介して被検眼Ｅを撮影するデジタルカメラ５６（本発明の撮像系に相当）が設けられている。
【００３８】
ベース１２の上面で且つ後方向側（検者側）の後端部には、手元操作部３８が設けられている。この手元操作部３８は、詳しくは後述するが、検者による細隙灯４４のオンオフ操作及び光量調整操作と、後述の光源８０（図４参照）のオンオフ操作及び光量調整操作と、に用いられる。
【００３９】
図２は、上方側から見た顕微鏡３４の光学系の配置を示す光学配置図である。図２に示すように、顕微鏡３４は、対物レンズ５０と、双眼の接眼レンズ５２と、接眼レンズ５２ごとに設けられた一対の第１リレー光学系６０及び第２リレー光学系６２と、を備える。双眼の接眼レンズ５２の一方は左眼用であり且つ他方は右眼用である。なお、図中の符号ＬＢ１は検者の左眼用の接眼レンズ５２の光軸であり、図中の符号ＬＢ２は検者の右眼用の接眼レンズ５２の光軸である。
【００４０】
第１リレー光学系６０は、被検眼Ｅから対物レンズ５０に入射した被検眼Ｅの観察光を左眼用の接眼レンズ５２まで導く光学系（光路）である。なお、被検眼Ｅの観察光には、照明系３２から被検眼Ｅに照射されたスリット光の戻り光、及び後述の光源８０（図４参照）から被検眼Ｅに照射されたバックグラウンド光等の特定光の戻り光などが含まれる。この第１リレー光学系６０は、公知の変倍光学系６６、絞り６８、及びプリズムユニット７０の他に、本発明の第１偏向光学素子に相当する第１ビームスプリッタ７２を備える。
【００４１】
第２リレー光学系６２は、被検眼Ｅから対物レンズ５０に入射した被検眼Ｅの観察光を右眼用の接眼レンズ５２まで導く光学系（光路）である。この第２リレー光学系６２は、変倍光学系６６、絞り６８、及びプリズムユニット７０の他に、本発明の第２偏向光学素子に相当する第２ビームスプリッタ７４を備える。
【００４２】
図３は、図２中の第２リレー光学系６２の第２ビームスプリッタ７４をその側方側から見た側面図である。なお、図３では、第２ビームスプリッタ７４以外の第２リレー光学系６２の各部については図示を省略している。
【００４３】
図３に示すように、第２ビームスプリッタ７４の下方向側であって且つ第２リレー光学系６２の光路外には、既述のデジタルカメラ５６が設けられている。第２ビームスプリッタ７４は、対物レンズ５０を通過した被検眼Ｅの観察光の一部をデジタルカメラ５６に向けて偏向すると共に、この観察光の残りを透過して右眼用の接眼レンズ５２に向けて出射する。
【００４４】
デジタルカメラ５６は、結像レンズ５６ａと、ＣＭＯＳ（Complementary Metal Oxide Semiconductor）型又はＣＣＤ（Charge Coupled Device）型の撮像素子５６ｂと、を有する。結像レンズ５６ａは、第２ビームスプリッタ７４により偏向された被検眼Ｅの観察光を撮像素子５６ｂの撮像面に結像させる。撮像素子５６ｂは、結像レンズ５６ａを通して結像された被検眼Ｅの観察光を撮像して、被検眼Ｅの撮像画像データを出力する。
【００４５】
図４は、図２中の第１リレー光学系６０の第１ビームスプリッタ７２をその側方側から見た側面図である。なお、図４では、第１ビームスプリッタ７２以外の第１リレー光学系６０の各部については図示を省略している。
【００４６】
図４及び既述の図２に示すように、第１ビームスプリッタ７２の下方向側であって且つ第１リレー光学系６０の光路外には、光源８０及び集光レンズ８２が設けられている。これら第１ビームスプリッタ７２、光源８０、集光レンズ８２は、本発明の特定光照射系を構成する。
【００４７】
光源８０は、集光レンズ８２を通して、例えば白色光等の可視光の波長域の光であるバックグラウンド光を第１ビームスプリッタ７２に向けて出射する。このバックグラウンド光は、本発明の特定光に相当する。
【００４８】
第１ビームスプリッタ７２は、対物レンズ５０から入射した被検眼Ｅの観察光の少なくとも一部を透過して左眼用の接眼レンズ５２に向けて出射する。また、第１ビームスプリッタ７２は、集光レンズ８２を通して光源８０から入射したバックグラウンド光を、第１リレー光学系６０及び対物レンズ５０を通して被検眼Ｅに向けて偏向する。これにより、顕微鏡３４から被検眼Ｅに向けて光軸ＬＡと同軸にバックグラウンド光が照射される（図２中の符号ＢＧＬ参照）。その結果、被検眼Ｅに照射されているスリット光の背景がバックグラウンド光により照明される。このため、例えばインフォームドコンセント時においてデジタルカメラ５６で撮影した被検眼Ｅの撮像画像データを被検者に提示する場合に、被検眼Ｅのいずれの箇所にスリット光が照射されているのかを被検者に容易に認識させることができる。
【００４９】
またこの際に、検者は顕微鏡３４を通した被検眼Ｅの観察を事前又は同時に実行している。このため、検者は、顕微鏡３４の観察視野内に偏向光学素子４８が存在する場合には、この偏向光学素子４８が観察の妨げにならないように照明系３２と顕微鏡３４との位置調整（各々の水平回動操作）を行っている。その結果、検者の意図に反して光軸ＬＡ上に偏向光学素子４８が存在することでこの偏向光学素子４８によりバックグラウンド光がケラレることが防止される。すなわち、検者の意図に反してバックグラウンド光がケラレることが防止される。
【００５０】
さらに、バックグラウンド光は、顕微鏡３４からその光軸ＬＡと同軸に出射されるので、スリット光の背景をバックグラウンド光により照明する際に照明ムラ（照度斑）の発生が抑えられる。さらにまた、顕微鏡３４を水平回動させた場合であっても被検眼Ｅへの均質なバックグラウンド光の照明が確保される。
【００５１】
第１ビームスプリッタ７２、光源８０、及び集光レンズ８２は、第２ビームスプリッタ７４及びデジタルカメラ５６の側方位置の空きスペースに配置されると共に、第２ビームスプリッタ７４及びデジタルカメラ５６と一体化されている。このため、顕微鏡３４には、第１ビームスプリッタ７２、光源８０、及び集光レンズ８２と、第２ビームスプリッタ７４及びデジタルカメラ５６と、を含む撮像・光源ユニット８４（図２参照）が設けられている。
【００５２】
このように顕微鏡３４に第２ビームスプリッタ７４及びデジタルカメラ５６が設けられている場合には、これらの側方の空きスペースを活用することで、顕微鏡３４のリーチングディスタンスを長くすることなく、顕微鏡３４に第１ビームスプリッタ７２、光源８０、及び集光レンズ８２を設けることができる。なお、リーチングディスタンスとは、接眼レンズ５２（検者眼）から対物レンズ５０（被検眼Ｅ）までの距離である。また、第１ビームスプリッタ７２、光源８０、及び集光レンズ８２と、第２ビームスプリッタ７４及びデジタルカメラ５６と、を撮像・光源ユニット８４に一体化（１ユニット化）することで、省スペース化及びコンパクト化が図れる。
【００５３】
また、本実施形態では、対物レンズ５０から第１ビームスプリッタ７２までの距離Ｄ１と第１ビームスプリッタ７２から光源８０までの距離Ｄ２との合計値を、対物レンズ５０から光源８０までの光路長とした場合に、この光路長を対物レンズ５０の焦点距離よりも短くしている。これにより、光源８０から集光レンズ８２、第１ビームスプリッタ７２、及び対物レンズ５０等を経て被検眼Ｅに照射されるバックグラウンド光を拡散照明にすることができる。その結果、バックグラウンド光により被検眼Ｅを均一（略均一を含む）に照明することができる。
【００５４】
図５は、細隙灯顕微鏡１０の制御装置９０の機能ブロック図である。図５に示すように、制御装置９０は、例えば可動テーブル１８内に設けられており（細隙灯顕微鏡１０の外部でも可）、細隙灯顕微鏡１０の各部の動作を統括的に制御する。この制御装置９０は、例えばパーソナルコンピュータのような演算装置であり、各種のプロセッサ（Processor）及びメモリ等から構成された演算回路を備える。各種のプロセッサには、ＣＰＵ（Central Processing Unit）、ＧＰＵ（Graphics Processing Unit）、ＡＳＩＣ（Application Specific Integrated Circuit）、及びプログラマブル論理デバイス［例えばＳＰＬＤ（Simple Programmable Logic Devices）、ＣＰＬＤ（Complex Programmable Logic Device）、及びＦＰＧＡ（Field Programmable Gate Arrays）］等が含まれる。なお、制御装置９０の各種機能は、１つのプロセッサにより実現されてもよいし、同種または異種の複数のプロセッサで実現されてもよい。
【００５５】
制御装置９０は、不図示の制御プログラムを実行することで、電動駆動制御部９２、光源制御部９４、及び撮像制御部９６として機能する。
【００５６】
電動駆動制御部９２は、検者による操作レバー２０に対する入力操作に応じて、電動駆動部１６の駆動を制御する。電動駆動制御部９２は、操作レバー２０の前後方向又は左右方向の傾倒操作に応じて、電動駆動部１６を駆動して可動テーブル１８を前後方向又は左右方向に移動させ、且つ操作レバー２０の軸線周りの回動操作に応じて、電動駆動部１６を駆動して第１の支持部材２２を上下方向に移動させる。
【００５７】
光源制御部９４は、検者による手元操作部３８に対する細隙灯４４のオンオフ（点灯／消灯）操作及びスリット光の光量調整操作の入力に応じて、細隙灯４４のオンオフを切り替えると共に細隙灯４４から出射されるスリット光の光量調整を行う。また、光源制御部９４は、検者による手元操作部３８に対する光源８０のオンオフ操作及びスリット光の光量調整操作の入力に応じて、光源８０のオンオフを切り替えると共に光源８０から出射されるバックグラウンド光の光量調整を行う。
【００５８】
撮像制御部９６は、検者による操作レバー２０のスイッチ２０ａのオン操作（撮像開始操作）に応じて、デジタルカメラ５６（撮像素子５６ｂ）による被検眼Ｅの観察光の撮像を実行させる。これにより、デジタルカメラ５６から制御装置９０に対して、観察光の撮像画像データが出力される。この撮像画像データは、例えば、被検者に対するインフォームドコンセント時において被検者に対して提示される。
【００５９】
［本実施形態の効果］
以上のように本実施形態では、第１ビームスプリッタ７２の下方向側に光源８０及び集光レンズ８２を設け、光源８０から出射されたバックグラウンド光を第１リレー光学系６０及び対物レンズ５０等を通して被検眼Ｅに向けて偏向することができる。その結果、顕微鏡３４から被検眼Ｅに向けて光軸ＬＡと同軸にバックグラウンド光を照射することができる。これにより、バックグラウンド光を被検眼Ｅに対して水平（略水平を含む）に入射させることができ、被検眼Ｅの観察面に照度斑が生じることが防止される。また、検者は、事前に顕微鏡３４を通してその視野範囲内を確認することで、バックグラウンド光が偏向光学素子４８によりケラレないように照明系３２と顕微鏡３４との位置調整を行うことができるので、検者の意図に反してバックグラウンド光が偏向光学素子４８等によりケラレることが防止される。その結果、被検眼Ｅに照射されるバックグラウンド光のケラレを防止し且つ被検眼Ｅの良好な観察を行うことができる。
【００６０】
また、本実施形態では、第１ビームスプリッタ７２、光源８０、及び集光レンズ８２と、第２ビームスプリッタ７４及びデジタルカメラ５６と、を撮像・光源ユニット８４に１ユニット化することで、省スペース化及びコンパクト化が図れると共に、リーチングディスタンスの増加が防止される。
【００６１】
［第２実施形態の細隙灯顕微鏡］
図６は、第２実施形態の細隙灯顕微鏡１０における顕微鏡３４の第１リレー光学系６０、光源８０、及び集光レンズ８２の側面図である。上記第１実施形態の顕微鏡３４の光源８０はバックグラウンド光のみを出射するが、第２実施形態の光源８０は互いに異なる複数種類（ここでは３種類）の特定光を選択的に出射する。なお、第２実施形態の細隙灯顕微鏡１０は、光源８０が３種類の特定光を出射する点を除けば、上記第１実施形態の細隙灯顕微鏡１０と基本的に同じ構成であるので、上記第１実施形態と機能又は構成上同一のものについては、同一符号を付してその説明は省略する。
【００６２】
図６に示すように、第２実施形態の光源８０には、可視光源８０ａ、赤外光源８０ｂ（赤外線光源ともいう）、及び励起光源８０ｃ（蛍光用光源ともいう）を含む３種類の光源が設けられている。これら可視光源８０ａ、赤外光源８０ｂ、及び励起光源８０ｃとしては、例えばＬＥＤ（light emitting diode）光源が用いられる。
【００６３】
可視光源８０ａは、上記実施形態と同様にバックグラウンド光を出射する。これにより、集光レンズ８２、第１リレー光学系６０、及び対物レンズ５０を通して被検眼Ｅにバックグラウンド光が照射され、既述の通り被検眼Ｅに照射されているスリット光の背景がバックグラウンド光により照明される。
【００６４】
赤外光源８０ｂは、本発明の特定光として、赤外波長域の光である赤外光（近赤外光を含む）を出射する。これにより、集光レンズ８２、第１リレー光学系６０、及び対物レンズ５０を通して被検眼Ｅに赤外光が照射される。このように被検眼Ｅを赤外光で照明することで、顕微鏡３４を通して、被検眼Ｅのマイボーム腺を鮮明に観察することができる。
【００６５】
励起光源８０ｃは、本発明の特定光として、公知の蛍光剤であるフルオレセインを励起発光させる励起光（例えば波長４７０ｎｍの青色光）を出射する。これにより、集光レンズ８２、第１リレー光学系６０、及び対物レンズ５０を通して被検眼Ｅに励起光が照射される。蛍光剤が投与されている被検眼Ｅに対して、励起光を照射して蛍光剤を励起発光させることで、顕微鏡３４を用いた被検眼Ｅの蛍光観察及び蛍光撮影が可能となる。その結果、被検眼Ｅの表面状態を容易に観察することができる。この際に、本実施形態では光源８０に蛍光観察専用の励起光源８０ｃを設けることで、従来の細隙灯顕微鏡１０に設けられているような白色光を励起光に変換するフィルター機構が不要となり、省スペース化及び省コスト化が図れる。
【００６６】
なお、赤外光源８０ｂからの赤外光の出射時、及び励起光源８０ｃからの励起光の出射時には、照明系３２からのスリット光の照射は停止される。また、上記第１実施形態の図４に示したように、対物レンズ５０から光源８０までの光路長を、対物レンズ５０の焦点距離よりも短くすることで、赤外光及び励起光についても拡散照明にすることができる。
【００６７】
第２実施形態の光源制御部９４は、手元操作部３８に入力されたオンオフ操作及び光量調整操作に基づき、オンオフ操作に対応する光源のオンオフを切り替えると共に、光量調整操作に対応する光源から出射される特定光の光量を調整する。このように第２実施形態では、検者が手元操作部３８を操作することで、光源ごとに独立してオンオフと光量調整とが可能になる。これにより、光源の切替及び光量調整等を、手動操作（例えばフィルター切り替え等）で行う場合と比較して簡単に実行することができる。
【００６８】
なお、第２実施形態の光源８０（可視光源８０ａ、赤外光源８０ｂ、及び励起光源８０ｃ）は、被検眼Ｅに対して互いに異なる３種類の光（可視光、赤外光、及び励起光）を選択的に照射しているが、２種類以上の光源から同時に光を被検眼Ｅに照射してもよい。例えば光源８０に赤色光源、緑色光源、及び青色光源が設けられている場合には、各色光源の光量を適宜調整することで、被検眼Ｅに照射される光の色調を任意に調整することができる。
【００６９】
また、第２実施形態の光源８０には、可視光源８０ａ、赤外光源８０ｂ、及び励起光源８０ｃがそれぞれ１つずつ設けられているが、それぞれ２以上設けられていてもよい。さらに、第２実施形態の光源８０には、可視光源８０ａ、赤外光源８０ｂ、及び励起光源８０ｃの計３種類の光源が設けられているが、光源の種類は２種類又は４種類以上であってもよい。
【００７０】
［第３実施形態の細隙灯顕微鏡］
上記各実施形態では、照明系３２から被検眼Ｅへのスリット光の照射に合せて、光源８０から出射されたバックグラウンド光を、集光レンズ８２、第１リレー光学系６０、及び対物レンズ５０を通して被検眼Ｅに照射している。この際に、バックグラウンド光の一部が第１リレー光学系６０及び対物レンズ５０により検者眼に向けて反射されることで検者が眩しく感じる場合がある。そこで、第３実施形態の細隙灯顕微鏡１０では、被検眼Ｅに対するバックグラウンド光の照射が必要なタイミングのみ、すなわちデジタルカメラ５６による被検眼Ｅの観察光の撮像中にのみ、光源８０からのバックグラウンド光の出射を行う。
【００７１】
なお、第３実施形態の細隙灯顕微鏡１０は、上記各実施形態の細隙灯顕微鏡１０と基本的に同じ構成であるので、上記各実施形態と機能又は構成上同一のものについては、同一符号を付してその説明は省略する。
【００７２】
図７は、第３実施形態の光源制御部９４による光源８０のオンオフ制御の流れを示すフローチャートである。図７に示すように、第３実施形態の光源制御部９４は、操作レバー２０のスイッチ２０ａが押下されていない状態、すなわち検者が顕微鏡３４による被検眼Ｅを行っている観察中には、光源８０をオフ（消灯）させる（ステップＳ１，Ｓ２）。これにより、バックグラウンド光の一部が検者眼に入射することが防止される。
【００７３】
一方、光源制御部９４は、操作レバー２０のスイッチ２０ａが押下されている状態、すなわちデジタルカメラ５６による被検眼Ｅの観察光の撮像を行っている撮像中には、光源８０をオン（点灯）させる（ステップＳ１，Ｓ３）。これにより、被検眼Ｅに照射されているスリット光の背景がバックグラウンド光により照明されるので、既述の通り被検眼Ｅのいずれの箇所にスリット光が照射されているのかを被検者に容易に認識させることができる。以下、細隙灯顕微鏡１０による観察及び撮像が終了するまで、上述のステップＳ１からステップＳ３までの処理が繰り返し実行される（ステップＳ４）。
【００７４】
このように第３実施形態では、デジタルカメラ５６による撮像中にのみ光源８０をオンさせ、且つ顕微鏡３４による被検眼Ｅの観察中には光源８０をオフさせるようにしたので、検者が観察中（被検眼Ｅに対するバックグラウンド光の照射が不要なタイミング）にバックグラウンド光を眩しく感じることが防止される。
【００７５】
［第４実施形態の細隙灯顕微鏡］
図８は、第４実施形態の細隙灯顕微鏡１０における顕微鏡３４の第１リレー光学系６０、光源８０、及び集光レンズ８２の側面図である。この第４実施形態では、上記第３実施形態とは異なる方法を用いて、検者が顕微鏡３４による被検眼Ｅの観察中にバックグラウンド光を眩しく感じることを防止する。
【００７６】
図８に示すように、第４実施形態の細隙灯顕微鏡１０は、顕微鏡３４が移動機構１００を備えると共に、制御装置９０が移動制御部１０２として機能する点を除けば、上記各実施形態の細隙灯顕微鏡１０と基本的に同じ構成である。このため、上記各実施形態と機能又は構成上同一のものについては、同一符号を付してその説明は省略する。
【００７７】
移動機構１００は、第１ビームスプリッタ７２を、第１ビームスプリッタ７２によりバックグラウンド光が被検眼Ｅに向けて偏向される偏向位置（図中、実線で表示）と、第１ビームスプリッタ７２によりバックグラウンド光が被検眼Ｅに向けて偏向されない退避位置（図中、２点鎖線で表示）と、の間で移動自在に支持する。ここで、偏向位置とは、例えば、第１リレー光学系６０の光路と光源８０の出射光軸との交点であり、退避位置とは偏向位置から任意の方向にずれた位置である。なお、図中では、退避位置が、偏向位置に対して上方向側にずれた位置であるが、下方向側、前方向側、及び後方向側のいずれの方向にずれていてもよい。
【００７８】
移動制御部１０２は、デジタルカメラ５６による観察光の撮像中には、移動機構１００を駆動して第１ビームスプリッタ７２を偏向位置に移動させる。これにより、光源８０から出射されたバックグラウンド光が、集光レンズ８２、第１リレー光学系６０、及び対物レンズ５０を通して被検眼Ｅに照射される。
【００７９】
一方、移動制御部１０２は、顕微鏡３４による被検眼Ｅの観察中には、移動機構１００を駆動して第１ビームスプリッタ７２を退避位置に移動させる。これにより、光源８０から出射されたバックグラウンド光の一部が検者眼に向けて反射されることが防止される。
【００８０】
このように第４実施形態では、デジタルカメラ５６による撮像中には第１ビームスプリッタ７２を偏向位置に移動させ、且つ顕微鏡３４による被検眼Ｅの観察中には第１ビームスプリッタ７２を退避位置に移動させるようにしたので、上記第３実施形態と同様の効果が得られる。
【００８１】
なお、上記第４実施形態では、移動機構１００により第１ビームスプリッタ７２を偏向位置と退避位置との間で移動させているが、光源８０を偏向位置と退避位置との間で移動させるようにしてもよい。この場合の偏向位置とは、光源８０から出射されたバックグラウンド光が第１ビームスプリッタ７２により被検眼Ｅに向けて偏向される位置である。また、退避位置とは、光源８０から出射されたバックグラウンド光が第１ビームスプリッタ７２により被検眼Ｅに向けて偏向されない位置、例えば光源８０から第１ビームスプリッタ７２に対してバックグラウンド光が照射されない位置である。
【００８２】
［第５実施形態の細隙灯顕微鏡］
図９は、第５実施形態の細隙灯顕微鏡１０における顕微鏡３４の第１リレー光学系６０、光源８０、及び結像レンズ８２Ａの側面図である。既述の図４に示したように、上記第１実施形態では、被検眼Ｅに照射されるバックグラウンド光を拡散照明にするために、対物レンズ５０から光源８０までの光路長を対物レンズ５０の焦点距離よりも短くしている。これに対して、第５実施形態では、対物レンズ５０から第１ビームスプリッタ７２までの光路長（距離Ｄ１）を対物レンズ５０の焦点距離よりも短くすることで、被検眼Ｅに照射されるバックグラウンド光を拡散照明にする。
【００８３】
なお、第５実施形態の細隙灯顕微鏡１０は、集光レンズ８２の代わりに、結像レンズ８２Ａを備える点を除けば、上記各実施形態の細隙灯顕微鏡１０と基本的に同じ構成である。このため、上記各実施形態と機能又は構成上同一のものについては、同一符号を付してその説明は省略する。
【００８４】
図９に示すように、結像レンズ８２Ａは、光源８０から出射されたバックグラウンド光（赤外光及び励起光も同様）を、第１ビームスプリッタ７２の接合面に結像させる。この場合、第１ビームスプリッタ７２の接合面が本発明の結像位置に相当する。そして、バックグラウンド光を第１ビームスプリッタ７２の接合面に一旦結像させることにより、対物レンズ５０から第１ビームスプリッタ７２までの光路長（距離Ｄ１）を対物レンズ５０の焦点距離よりも短くすることで、バックグラウンド光を拡散照明にすることができる。これにより、顕微鏡３４における光源８０の配置の自由度を増やすことができる。
【００８５】
なお、上記第５実施形態では、結像レンズ８２Ａによるバックグラウンド光の結像位置を第１ビームスプリッタ７２の接合面に設定しているが、光源８０と対物レンズ５０との間の位置であれば上述の結像位置については特に限定はされない。
【００８６】
［その他］
上記各実施形態では、本発明の第１偏向光学素子及び第２偏向光学素子として、ビームスプリッタ（第１ビームスプリッタ７２及び第２ビームスプリッタ７４）を例に挙げて説明しているが、例えばハーフミラーのような光を分割及び重ね合わせ可能な各種の光学素子を用いてもよい。
【００８７】
上記各実施形態では、第１リレー光学系６０に第１ビームスプリッタ７２、光源８０、及び集光レンズ８２を配置し且つ第２リレー光学系６２に第２ビームスプリッタ７４及びデジタルカメラ５６を配置しているが、第１リレー光学系６０にデジタルカメラ５６等を配置し且つ第２リレー光学系６２に光源８０等を配置してもよい。
【００８８】
上記各実施形態では、本発明の特定光照射系として第１ビームスプリッタ７２、光源８０、及び集光レンズ８２を例に挙げて説明したが、第１リレー光学系６０の光路上（光軸上）又はその近傍に配置された透過型の照明装置［例えば、有機ＥＬ（electro-luminescence）ディスプレイ等］を用いて上述の各種特定光を被検眼Ｅに照射してもよい。
【００８９】
上記各実施形態では、Ｚｅｉｓｓ式（Ｌｉｔｔｍａｎ式）の細隙灯顕微鏡１０を例に挙げて説明を行ったが、例えば、照明系３２が偏向光学素子４８の上方に設けられている公知のＨａａｇ式（Ｇｏｌｄｍａｎｎ式）の細隙灯顕微鏡１０にも本発明を適用することができる。
【符号の説明】
【００９０】
１０…細隙灯顕微鏡，
３２…照明系，
３４…顕微鏡，
３８…手元操作部，
４４…細隙灯，
４６…偏向光学系，
４８…偏向光学素子，
５０…対物レンズ，
５２…接眼レンズ，
５６…デジタルカメラ，
５６ａ…結像レンズ，
５６ｂ…撮像素子，
６０…第１リレー光学系，
６２…第２リレー光学系，
７２…第１ビームスプリッタ，
７４…第２ビームスプリッタ，
８０…光源，
８０ａ…可視光源，
８０ｂ…赤外光源，
８０ｃ…励起光源，
８２…集光レンズ，
８２Ａ…結像レンズ，
８４…撮像・光源ユニット，
９０…制御装置，
９２…電動駆動制御部，
９４…光源制御部，
９６…撮像制御部，
１００…移動機構，
１０２…移動制御部
【図１】
2020141999.tif 000003
【図２】
2020141999.tif 000004
【図３】
2020141999.tif 000005
【図４】
2020141999.tif 000006
【図５】
2020141999.tif 000007
【図６】
2020141999.tif 000008
【図７】
2020141999.tif 000009
【図８】
2020141999.tif 000010
【図９】
2020141999.tif 000011